(57)【特許請求の範囲】
【請求項１】
浄水前の水道水が取り込まれる流入口と浄水後の水道水を流出する流出口を備えた筒型の本体と、本体内部に本体の内壁との間に間隙をおいて設置されたフィルターとから構成された水道水を浄水する浄水装置であって、
前記フィルターは、円筒形状であり、水を濾過させる層が外側から不織布層と、細粒ヤシガラ活性炭層若しくは繊維状活性炭層と、焼成セラミックス層と、複数の孔が穿設された芯材層と、からなる積層構造であり、
前記焼成セラミックス層は、珪素を主成分に、アルミニウム、マグネシウム、マンガン、イットリウム、ジルコニウム、およびスカンジウムを含む化合物が焼成されたセラミックで形成されたことを特徴とする浄水装置
【請求項２】
前記芯材層は、珪素を主成分に、アルミニウム、マグネシウム、マンガン、イットリウム、ジルコニウム、およびスカンジウムを含む化合物が焼成されたセラミック素材を混入したポリプロピレンで形成されたことを特徴とする請求項１記載の浄水装置。
【請求項３】
前記芯材層に設けられた複数の孔は、ハニカム構造に形成され、それぞれの孔は、
円筒形状の前記フィルターの中心線に垂直な線に対し傾きをもって穿設されたことを特徴
とする請求項１または２記載の浄水装置。
【発明の詳細な説明】
【技術分野】
【０００１】
本発明は、水道水を浄水する浄水装置に係り、特に円筒形状中心に向かって水流を起こして濾過浄水する浄水装置に関する。
【背景技術】
【０００２】
水道水は消毒のために水道法により次亜塩素酸等の塩素系薬品が添加されるため飲料として利用する際には塩素等を含んだ水道水を飲むことになるが、この塩素等を除去するために昔から多くの浄水器および浄水装置が開発され販売されている。様々な方式の浄水器・浄水装置が販売されているが、濾過式が主流である。
濾過層については不純物を取り除くために様々な組み合わせがあり、銀イオン添着活性炭が広く浄水器に使用されている。
しかし、販売されている浄水器の多くは水道の蛇口付近に取り付けられるものが代表的であり、利用するすべての水を浄水する本格的な装置は極少数が販売されているにすぎない。
【０００３】
出願人は、家庭で利用する水を全て浄水できるキャパシティのある装置として、「浄水装置」（特許第３８８２０５７号）を出願し特許を取得している。
この浄水装置の構造は、図４に示すように外囲容器内部に上流空間部と下流空間部ができるように濾過器が設置されており、流入した水道水はこの濾過器を通ってから家庭内の水道に供給されるようになっている。この濾過器は円筒形状に形成されており、円筒形の外側から中心の内側に向けて水が濾過され、円筒形状の濾過器の中央部分は筒状の空洞となっていて、そこから濾過された水が管を通じて送出されていく。
この装置は家庭内に導入されるすべての水を浄水するために家の敷地内の水道局から家庭内に引き込まれる水道管の任意の場所に設置される。そのため、水道局からの水圧が一旦浄水装置で減圧されてしまい水流の圧が弱くなってしまう問題があった。水圧が下がると家庭内のすべての水圧が下がるため、洗い物や調理する場合や入浴する場合に不満を持つ人が多かった。
そこで、設置しても水圧が下がらずに確実に水道水を浄水することができる浄水装置の開発が待たれていた。
【特許文献１】特許第３８８２０５７号
【発明の開示】
【発明が解決しようとする課題】
【０００４】
上記問題を解決するために本発明の浄水装置は、水圧を低下させずに水流を起こして浄水後の水を送出する構造の浄水装置を提供することを目的としている。
【課題を解決するための手段】
【０００５】
上記目的を達成するために本発明に係る浄水装置は、浄水前の水道水が取り込まれる流入口と浄水後の水道水を流出する流出口を備えた筒型の本体と、本体内部に本体の内壁との間に間隙をおいて設置されたフィルターとから構成された水道水を浄水する浄水装置であって、前記フィルターは、円筒形状であり水を濾過させる層が外側から不織布層と、細粒ヤシガラ活性炭層若しくは繊維状活性炭層と、焼成セラミックスと、複数の孔が穿設された芯材と、からなる積層構造であり、前記焼成セラミックスは、珪素を主成分に、アルミニウム、マグネシウム、マンガン、イットリウム、ジルコニウム、およびスカンジウムを含む化合物が焼成されたセラミックで形成されたことを特徴とする。
【０００６】
前記芯材は、珪素を主成分に、アルミニウム、マグネシウム、マンガン、イットリウム、ジコニウム、およびスカンジウムを含む化合物が焼成されたセラミック素材を混入したポリプロピレンで形成されたことが好ましい。
【０００７】
また、前記芯材層に設けられた複数の孔は、ハニカム構造に形成され、それぞれの孔は、円筒形状の前記フィルターの中心線に垂直な線に対し傾きをもって穿設されたことが好ましい。
【発明の効果】
【０００８】
本発明に係る浄水装置は、上記詳述した通りの構成であるので、以下のような効果がある。
１  水を濾過させる層が円筒形状外側から不織布層と、活性炭層と、焼成セラミックス層と、複数の孔が穿設された芯材とからなるフィルターで構成されているので確実に浄水させることが可能である。
２  細粒ヤシガラ活性炭には、銀イオン・ゼオライトを配合させている構造であるため、確実に浄化させることが可能となる。
３  珪素を主成分に、アルミニウム、マグネシウム、マンガン、イットリウム、ジコニウム、およびスカンジウムを含む化合物が焼成されたセラミックをフィルター内に用いるため、確実に浄化させることが可能となる。
【０００９】
４  珪素を主成分に、アルミニウム、マグネシウム、マンガン、イットリウム、ジコニウム、およびスカンジウムを含む化合物が焼成されたセラミック素材を混入したポリプロピレンで構成される芯材をフィルター内に用いるため、水を流出させる際にも濾過できる効果がある。
５また芯材は円筒に対して垂直若しくは上下方向若しくは左右方向に斜めに形成されたハニカム構造の孔で構成されるため、フィルター内中央部から流出口にかけて水流を発生させることが可能である。
【発明を実施するための最良の形態】
【００１０】
以下本発明にかかる浄水装置を図面に示す実施例に基づいて詳細に説明する。図１は本発明の浄水装置の構成図であり、図２はフィルターの右側だけを断面として示した部分断面図であり、図３は芯材を表す拡大図である。また図４は従来の浄水装置の構成図である。
【００１１】
本発明の浄水装置１０は、本体２０と、フィルター３０とからなる。
本体２０は、水道水を取り込む流入口２２と、浄水した水が流出する流出口２４を設けた円筒体からなる。図１に示すように、本体２０は内部に空間を持つ円筒形状となっており、この実施例では流入口２２は本体２０の上部側壁に設けられ、水道管と接続できるように管状となっている。また、流出口２４は、フィルターで浄水された水を確実に流出できるように、本体２０の内部まで管を設置し、フィルターの流出口と直接螺合、若しくは嵌合する構造としている。
また、本体２０はフィルター３０を交換できるように上部と下部とが分離可能に形成された構造でもある。
【００１２】
フィルター３０は、水道水を浸透・透過させて水道水から不純物等を濾過する部材であり、外層側壁は不織布３２で覆われている。浄水されていない水を漏らすことなく確実に濾過させるようにプラスチック等の樹脂部材３３により、フィルターの上下部分に水が浸透したり水が入り込まないよう密封している。この実施例ではＡＢＳキャップを使用して密封している。上部には浄水された水を流出させるために突状の接合する管３５が設けられており、確実に密着させるためにパッキン３７を設けている。
フィルター３０の内部は、外層が不織布３２で覆われており、次に細粒ヤシガラ活性炭および／または繊維状活性炭からなる活性炭層３４と、焼成セラミックス３６と、芯材３８とからなる。
【００１３】
活性炭層３４は、この実施例では細粒ヤシガラ活性炭と、繊維状活性炭からなるが、活性炭の種類には限定されない。また、活性炭層３４は、活性炭に銀イオン・を配合した構成でもある。
焼成セラミックス３６は、この実施例では珪素を主成分に、アルミニウム、マグネシウム、マンガン、イットリウム、ジコニウム、およびスカンジウムを含む化合物を焼成して形成したものである。
【００１４】
芯材３８は、この実施例では珪素を主成分に、アルミニウム、マグネシウム、マンガン、イットリウム、ジコニウム、およびスカンジウムを含む化合物が焼成されたセラミックス素材を混入したポリプロピレンで構成されており、複数の孔が穿設されている。また、ポリプロピレンに代えてポリエチレンを使用することも可能である。
【００１５】
図３に示すように、この実施例の芯材３８はハニカム構造の孔が穿設されている構成でもある。また、このハニカム構造の奥行き巾部分を上下および左右方向に斜めに形成した構造とすることも考えられる。このように斜め壁面のある構造にすることにより中央部３９に流出した水は上方向／下方向または左方向／右方向の方向性を与えられて水流として中央部に流入する。これにより水圧の低下による流速の衰えを防ぐことが可能となる。
【００１６】
次に本発明の浄水装置を設置した場合の水の流れについて詳細に説明する。本体２０に設けられた流入口２２から市水が流れ込み本体内部のフィルター３０との間隙に充填される。充填された市水は、流入口２２から水が常に送り込まれているので、その水圧でフィルター３０の濾過層を通りフィルター３０の中央部３９に流入し流出口２４から流出する。フィルターは専ら側面からのみ濾過する構造となっているので、流入した水は漏れることなく順次確実に濾過されて水圧により強制的に流出させることが可能である。
この実施例では流入口と流出口は本体２０側面に設けられているが、本体２０の上下部分に設けることも可能であり、側面および上下部のいずれかに流入口および流出口を設ければよい。
【００１７】
本発明の浄水装置によれば、家庭内に引き込む水道管の間にある家庭用水道管の基部に設置するため、家庭内の水道水はすべて浄化されたものとなる。また、ハニカム構造を持つ芯材からなる特殊なフィルターであるため、水流を発生させつつ濾過するので、濾過装置を介在させた事による水圧の低減をある程度防止することが可能となる。
【図面の簡単な説明】
【００１８】
【図１】本発明の浄水装置の構成図
【図２】フィルターの右側を断面として示した部分断面図
【図３】芯材を表す拡大図
【図４】従来の浄水装置の構成図
【符号の説明】
【００１９】
１０  浄水装置
２０  本体
２２  流入口
２４  流出口
３０  フィルター
３２  不織布
３３  樹脂部材
３４  活性炭層
３５  管
３６  焼成セラミックス層
３７  パッキン
３８  芯材
３９  中央部
【図１】
0005252385.tif 000002
【図２】
0005252385.tif 000003
【図４】
0005252385.tif 000004
【図３】
0005252385.tif 000005